(57)【特許請求の範囲】
【請求項１】
通信装置であって、
第１の無線通信方式により無線通信を行う第１の通信手段と、
前記第１の無線通信方式と異なる通信方式であって、前記第１の無線通信方式より通信速度が速い又は通信距離が長い第２の無線通信方式により無線通信を行う第２の通信手段と、
ネットワークを構築する基地局と前記第１の通信手段により通信した場合、当該基地局から前記第１の通信手段により前記ネットワークに接続するための接続設定情報を受信する受信手段と、
ネットワークに接続する複数の端末局と前記第１の通信手段により通信した場合、当該複数の端末局の各々と前記第２の通信手段により接続する接続手段と、
前記接続手段により前記複数の端末局の各々と接続した後に、前記受信手段により前記接続設定情報を受信した場合、前記第２の通信手段により前記複数の端末局の各々へ前記接続設定情報を送信する第１の送信手段と、
を有することを特徴とする通信装置。
【請求項２】
前記第１の通信手段により通信した相手装置が前記基地局であるか否かを判定する判定手段を更に有することを特徴とする請求項１に記載の通信装置。
【請求項３】
前記複数の端末局と前記第１の通信手段により通信した場合、当該複数の端末局の各々へ、前記第１の無線通信方式から前記第２の無線通信方式にハンドオーバするハンドオーバ処理を行うことを示す情報を、前記第１の通信手段により送信する第２の送信手段を更に有することを特徴とする請求項１または２に記載の通信装置。
【請求項４】
前記情報は、前記ハンドオーバ処理を前記通信装置が仲介することを示す情報であることを特徴とする請求項３に記載の通信装置。
【請求項５】
前記第２の通信手段による無線通信を行うための所定のユーザ動作を促す通知を行う通知手段を更に有することを特徴とする請求項１から４のいずれか１項に記載の通信装置。
【請求項６】
前記通知手段は、所定の画像を表示部に表示させることにより前記通知を行うことを特徴とする請求項５に記載の通信装置。
【請求項７】
前記第１の無線通信方式は、NFC（Near Field Communication）規格に準拠した通信方式であることを特徴とする請求項１から６のいずれか１項に記載の通信装置。
【請求項８】
前記第２の無線通信方式は、IEEE802.11シリーズ規格に準拠した通信方式であることを特徴とする請求項１から７のいずれか１項に記載の通信装置。
【請求項９】
前記第２の無線通信方式は、Bluetooth規格に準拠した通信方式であることを特徴とする請求項１から７のいずれか１項に記載の通信装置。
【請求項１０】
第１の無線通信方式により無線通信を行う第１の通信手段と、
前記第１の無線通信方式と異なる通信方式であって、前記第１の無線通信方式より通信速度が速い又は通信距離が長い第２の無線通信方式により無線通信を行う第２の通信手段と、を有する通信装置の制御方法であって、
ネットワークを構築する基地局と前記第１の通信手段により通信した場合、当該基地局から前記第１の通信手段により前記ネットワークに接続するための接続設定情報を受信する受信工程と、
ネットワークに接続する複数の端末局と前記第１の通信手段により通信した場合、当該複数の端末局の各々と前記第２の通信手段により接続する接続工程と、
前記接続工程において前記複数の端末局の各々と接続した後に、前記受信工程において前記接続設定情報を受信した場合、前記第２の通信手段により前記複数の端末局の各々へ前記接続設定情報を送信する送信工程と、
を有することを特徴とする通信装置の制御方法。
【請求項１１】
コンピュータを請求項１から９のいずれか１項に記載の通信装置が備える各手段として機能させるためのコンピュータプログラム。
【発明の詳細な説明】
【技術分野】
【０００１】
本発明は、通信装置及び通信方法、コンピュータプログラムに関する。
【背景技術】
【０００２】
近年、携帯電話機等の装置においては、ＮＦＣ（Ｎｅａｒ  Ｆｉｅｌｄ  Ｃｏｍｍｕｎｉｃａｔｉｏｎ）やＩｒＤＡ（Ｉｎｆｒａｒｅｄ  Ｄａｔａ  Ａｓｓｏｃｉａｔｉｏｎ）、ＴｒａｎｓｆｅｒＪｅｔ（登録商標）等の近接無線通信が利用されている。ユーザは装置同士を近づけるといった操作を行うだけで装置間のデータ送受信を行うことができる。この近接無線通信を用いて、無線ＬＡＮ（ＩＥＥＥ８０２．１１シリーズ）やＢｌｕｅｔｏｏｔｈ（登録商標）等の無線接続設定情報を送信することで、近接無線通信から他の無線通信にハンドオーバする技術が提案されている。ここで、ハンドオーバとは、第１の通信方式による通信から、第２の通信方式による通信への切り替え行為を示す。
【０００３】
特許文献１では、基地局装置が、無線ＬＡＮにより通信するための接続設定情報を近接無線通信によりＩＣカードに書き込む。そして、端末局装置が、近接無線通信によりＩＣカードから接続設定情報を読み込み、この接続設定情報を用いて無線ＬＡＮにより基地局装置と接続する。ここで、このような、可搬型の仲介装置を用いて、据え置き装置間でハンドオーバに必要な接続設定情報を授受する方法を仲介ハンドオーバと称する。
【先行技術文献】
【特許文献】
【０００４】
【特許文献１】特開２００４−００７３５１号公報
【発明の概要】
【発明が解決しようとする課題】
【０００５】
しかしながら、上述の仲介ハンドオーバでは、複数台の端末局装置を基地局装置に接続させる場合、まず基地局装置と仲介装置とで近接無線通信を行い、次に端末局装置と仲介装置とで近接無線通信を行うという作業を、端末局装置の台数分実行する必要がある。すなわち、ユーザは、例えば基地局装置と端末局装置１との夫々に仲介装置を近接させた後、基地局装置と端末局装置２との夫々に仲介装置を近接させるといったように端末局装置と基地局装置の間を複数回往来しなければならず、ユーザ利便性が低かった。
【０００６】
本発明は上記課題に鑑みなされたものであり、よりユーザ利便性の高い仲介ハンドオーバを可能とする技術を提供することを目的とする。
【課題を解決するための手段】
【０００７】
上記目的を達成するため、本発明による通信装置は以下の構成を備える。即ち、通信装置であって、第１の無線通信方式により無線通信を行う第１の通信手段と、前記第１の無線通信方式と異なる通信方式であって、前記第１の無線通信方式より通信速度が速い又は通信距離が長い第２の無線通信方式により無線通信を行う第２の通信手段と、ネットワークを構築する基地局と前記第１の通信手段により通信した場合、当該基地局から前記第１の通信手段により前記ネットワークに接続するための接続設定情報を受信する受信手段と、ネットワークに接続する複数の端末局と前記第１の通信手段により通信した場合、当該複数の端末局の各々と前記第２の通信手段により接続する接続手段と、前記接続手段により前記複数の端末局の各々と接続した後に、前記受信手段により前記接続設定情報を受信した場合、前記第２の通信手段により前記複数の端末局の各々へ前記接続設定情報を送信する第１の送信手段と、を有する。
【発明の効果】
【０００８】
本発明によれば、よりユーザ利便性の高い仲介ハンドオーバを可能とする技術を提供することができる。
【図面の簡単な説明】
【０００９】
【図１】通信システムの構成例を示す図である。
【図２】仲介装置の構成例を示す図である。
【図３】端末局装置の構成例を示す図である。
【図４】端末局装置の構成例を示す図である。
【図５】基地局装置の構成例を示す図である。
【図６】仲介装置の動作を示すフローチャートである。
【図７】仲介装置の動作を示すフローチャートである。
【図８】仲介装置の動作を示すフローチャートである。
【図９】端末局装置の動作を示すフローチャートである。
【図１０】基地局装置の動作を示すフローチャートである。
【図１１】通信システムの動作シーケンス図である。
【図１２】仲介装置の構成例を示す図である。
【図１３】仲介装置の動作を示すフローチャートである。
【発明を実施するための形態】
【００１０】
以下、図面を参照して本発明の実施の形態を詳細に説明する。なお、以下の実施形態において示す構成は一例にすぎず、本発明は図示された構成に限定されるものではない。
【００１１】
＜＜実施形態１＞＞
（通信システム）
図１は、本発明の第一の実施形態（実施形態１）に関わる通信システム全体の構成例を示す図である。
【００１２】
図１における通信システムは、ＮＦＣ機能を備えたスマートホン１０１、無線ＬＡＮ端末局機能とＮＦＣ機能を備えた監視カメラ１０２とディスプレイ１０３、無線ＬＡＮ基地局機能とＮＦＣ機能を備えたアクセスポイント（以下、ＡＰと称す）１０４を有する。本実施形態においてスマートホン１０１は仲介装置として動作し、端末局装置して動作する監視カメラ１０２及びディスプレイ１０３をＡＰ１０４に無線接続する。監視カメラ１０２は、撮像画像に異常が検出された場合に、その画像を無線ＬＡＮを介してディスプレイ１０３へ送信して表示させる。なお、本実施形態における通信システムの各装置は、ＮＦＣ  Ｆｏｒｕｍにより規定されるＭｅｄｉａｔｅｄ  Ｈａｎｄｏｖｅｒを実行可能である。以降では、ＮＦＣ  Ｆｏｒｕｍにより規定されるＭｅｄｉａｔｅｄ  Ｈａｎｄｏｖｅｒを用いて仲介ハンドオーバを行う通信システムについての説明を行う。なお、本実施形態において、無線ＬＡＮにハンドオーバする場合を説明するが、ハンドオーバ先の通信方式は、ＮＦＣより通信速度が速い又は通信距離が長い方式であればよい。
【００１３】
Ｍｅｄｉａｔｅｄ  Ｈａｎｄｏｖｅｒでは、無線ＬＡＮ等の基地局装置と端末局装置のそれぞれに仲介装置を近づけると、仲介装置はＮＦＣ通信により基地局装置からハンドオーバ先の接続設定情報を取得し、当該情報を端末局装置に通知する。そして、端末局装置は、仲介装置から取得した接続設定情報に基づいて基地局装置に対して無線接続を行う。
【００１４】
本実施形態では、ＮＦＣ  Ｆｏｒｕｍにより規定されるＭｅｄｉａｔｅｄ  Ｈａｎｄｏｖｅｒにおいて、複数台の端末局装置を基地局装置と無線ＬＡＮ等で接続する場合に、ユーザによる装置間の近接操作を低減させるための動作について説明する。
【００１５】
（仲介装置）
図２は、仲介装置（通信装置）としてのスマートホン１０１の構成の一例を示す図である。
【００１６】
２０１は、ＮＦＣ通信部である。ＮＦＣ通信部２０１は、第一の無線通信方式としてのＮＦＣ規格に準拠した無線通信を行い、通信範囲内に通信可能な装置を検出すると、自動的にＮＦＣ通信を確立する。本実施形態では、ＮＦＣ通信部２０１はリーダライタとして動作し、他機器のＮＦＣ通信部と双方向のデータ通信を行う。なお、ＮＦＣ通信部２０１は、ＮＦＣタグとして動作し、その内部に備えられた不揮発メモリに格納されたデータを通信相手となるリーダライタが読み書きするようにしてもよい。または、ＮＦＣタグとして動作する場合、記憶部２０４の所定領域を通信相手となるリーダライタが読み書きするようにしてもよい。
【００１７】
２０２は、ＮＦＣ通信を行うためのアンテナである。
【００１８】
２０３は、制御部（ＣＰＵ）である。制御部２０３は、記憶部２０４に記憶される制御プログラム（コンピュータプログラム）を実行することにより、スマートホン１０１の動作を制御する。
【００１９】
２０４は、記憶部である。記憶部２０４は、制御部２０３が実行する制御プログラムと通信に必要な設定情報等の各種情報を記憶する。後述する各種動作は、記憶部２０４に記憶された制御プログラムを制御部２０３が実行することにより行われる。
【００２０】
２０５は、表示部である。表示部２０５は、ＬＣＤやＬＥＤのように視覚で認知可能な情報の出力、あるいはスピーカ等の音出力が可能な機能を有する。
【００２１】
２０６は、操作部である。操作部２０６は、ユーザがスマートホン１０１を操作するためのメカニカルキー、またはタッチパネル等により構成される。
【００２２】
（端末局装置）
図３は、第一の端末局装置としての監視カメラ１０２の構成の一例を示す図である。
【００２３】
３０１は、ＮＦＣ通信部であり、ＮＦＣ規格に準拠した無線通信を行う。ＮＦＣ通信部３０１は、通信範囲内に通信可能な装置を検出すると、自動的にＮＦＣ通信を確立し、リーダライタとして動作する。
【００２４】
３０２は、ＮＦＣ通信を行うためのアンテナである。
【００２５】
３０３は、無線ＬＡＮ端末局部であり、第二の無線通信方式としてのＩＥＥＥ８０２．１１シリーズにおける無線ＬＡＮの端末局機能を処理する。無線ＬＡＮ端末局部３０３は、例えばＩＥＥＥ８０２．１１ｂ／ｇ／ｎ／ａｃに準拠し、無線ＬＡＮ基地局機能を有する機器と無線ＬＡＮ通信を行う。
【００２６】
３０４は、無線ＬＡＮ通信を行うためのアンテナである。
【００２７】
３０５は、制御部（ＣＰＵ）である。制御部３０５は、記憶部３０６に記憶される制御プログラムを実行することにより、監視カメラ１０２の動作を制御する。本実施形態では、制御部３０５は撮像部３０７で撮像された画像を解析し、解析画像内に異常を検出すると、当該画像をディスプレイ１０３へ送信するよう動作する。
【００２８】
３０６は、記憶部である。記憶部３０６は、制御部３０５が実行する制御プログラムと通信に必要な設定情報等の各種情報を記憶する。後述する各種動作は、記憶部３０６に記憶された制御プログラムを制御部３０５が実行することにより行われる。
【００２９】
３０７は、撮像部である。撮像部３０７は、ＣＣＤ等の電荷結合素子と光学系により構成される。
【００３０】
図４は、第二の端末局装置としてのディスプレイ１０３の構成の一例を示す図である。
【００３１】
４０１は、ＮＦＣ通信部であり、ＮＦＣ規格に準拠した無線通信を行う。ＮＦＣ通信部４０１は、通信範囲内に通信可能な装置を検出すると、自動的にＮＦＣ通信を確立し、リーダライタとして動作する。
【００３２】
４０２は、ＮＦＣ通信を行うためのアンテナである。
【００３３】
４０３は、無線ＬＡＮ端末局部４０３であり、ＩＥＥＥ８０２．１１シリーズ格における無線ＬＡＮの端末局機能を処理する。無線ＬＡＮ端末局部４０３は、例えばＩＥＥＥ８０２．１１ｂ／ｇ／ｎ／ａｃに準拠し、無線ＬＡＮ基地局機能を有する機器と無線ＬＡＮ通信を行う。
【００３４】
４０４は、無線ＬＡＮ通信を行うためのアンテナである。
【００３５】
４０５は、制御部（ＣＰＵ）である。制御部４０５は、記憶部４０６に記憶される制御プログラムを実行することにより、ディスプレイ１０３の動作を制御する。
【００３６】
４０６は、記憶部である。記憶部４０６は、制御部４０５が実行する制御プログラムと通信に必要な設定情報等の各種情報を記憶する。後述する各種動作は、記憶部４０６に記憶された制御プログラムを制御部４０５が実行することにより行われる。
【００３７】
４０７は、表示部である。表示部４０７は、液晶ディスプレイや有機ＥＬ（Ｅｌｅｃｔｒｏ−Ｌｕｍｉｎｅｓｃｅｎｃｅ）等により構成され、監視カメラ１０２から送信される画像を表示する。
【００３８】
（アクセスポイント）
図５は、ＡＰ１０４の構成の一例を示す図である。
【００３９】
５０１は、ＮＦＣ通信部であり、ＮＦＣ規格に準拠した無線通信を行う。ＮＦＣ通信部５０１は、通信範囲内に通信可能な装置を検出すると、自動的にＮＦＣ通信を確立し、リーダライタとして動作する。
【００４０】
５０２は、ＮＦＣ通信を行うためのアンテナである。
【００４１】
５０３は、無線ＬＡＮ基地局部５０３であり、ＩＥＥＥ８０２．１１シリーズにおける無線ＬＡＮの基地局（親局）機能を処理する。無線ＬＡＮ基地局部５０３は、例えばＩＥＥＥ８０２．１１ｂ／ｇ／ｎ／ａｃに準拠し、無線ＬＡＮ端末局機能を有する機器と無線ＬＡＮ通信を行う。
【００４２】
５０４は、無線ＬＡＮ通信を行うためのアンテナである。
【００４３】
５０５は、制御部（ＣＰＵ）である。制御部５０５は、記憶部５０６に記憶される制御プログラムを実行することにより、ＡＰ１０４の動作を制御する。
【００４４】
５０６は、記憶部である。記憶部５０６は、制御部５０５が実行する制御プログラムと通信に必要な設定情報等の各種情報を記憶する。後述する各種動作は、記憶部４０６に記憶された制御プログラムを制御部４０５が実行することにより行われる。
【００４５】
（仲介装置の動作）
スマートホン１０１は、近接無線通信により基地局装置から無線ＬＡＮに接続するための接続設定情報を取得すると、近接無線通信により第一の端末局装置へ接続設定情報を送信した後に、第二の端末局装置へ接続設定情報を送信するかを判定する。接続設定情報の送信を継続するかの判定は、経過時間やユーザからの指示など所定の条件が満たされるか否かに基づいて行われる。送信すると判定した場合に、近接無線通信方式により、当該第二の端末局装置へ接続設定情報を送信する。このようにスマートホン１０１は、基地局装置からＮＦＣタッチにより接続設定情報を取得し、ＮＦＣタッチにより端末局装置へ設定した後も、基地局装置にＮＦＣタッチをせずに、続けて他の端末局装置へその接続設定情報を設定可能とする。このため、ユーザは、より基地局装置と各端末局装置との間を往復することなく、各端末局装置を順にＮＦＣタッチするだけで、これらの装置を基地局装置が構築するネットワークに接続させることが可能となる。
【００４６】
図６〜図９を用いて、本実施形態における仲介ハンドオーバ処理について説明する。図６は、仲介装置としてのスマートホン１０１の仲介ハンドオーバ処理の動作フローを示す図である。図６に示すフローチャートは、スマートホン１０１の制御部２０３が記憶部２０４から読み出した制御プログラムを実行することで実現される。本実施形態においては、仲介ハンドオーバ処理は、ユーザが操作部２０６によりアプリケーション起動やＵＩ操作を行うことで開始する例を説明するが、これに限るものではない。例えば、ＮＦＣ通信部２０１における通信開始を契機に開始するようにしてもよいし、特定の振動や音声を契機に開始するようにしてもよい。
【００４７】
Ｓ６０１において、ユーザは操作部２０６を操作することで、仲介ハンドオーバを実行するアプリケーションを起動する。
【００４８】
Ｓ６０２において、制御部２０３はＮＦＣ通信部２０１を起動し、リーダライタとして動作するよう制御する。
【００４９】
Ｓ６０３において、制御部２０３は、仲介ハンドオーバにより無線接続させる機器の内、無線ＬＡＮ基地局機能を有する機器へのＮＦＣタッチを促す情報（画像）を表示部２０５に表示する。本実施形態では、スマートホン１０１のユーザは、この表示情報に基づき、スマートホン１０１を無線ＬＡＮ基地局機能を有する機器であるＡＰ１０４にタッチする。なお、ここでは、無線ＬＡＮネットワークへの接続仲介の開始に応じて、基地局装置からの接続設定情報の取得を促す通知を画像表示により提示する例を説明しているが、かかる通知は画像によるものに限られない。例えば、音声出力やバイブレーション作動などにより通知してもよい。
【００５０】
Ｓ６０４において、スマートホン１０１は、ＮＦＣ規格で定められる仲介ハンドオーバに準拠した動作、またはそれと同等の動作をする。仲介ハンドオーバ処理では、基地局機能を有するＡＰ１０４から、無線ＬＡＮ通信方式のネットワークに接続するための接続設定情報を取得し、ＮＦＣ通信部２０１を制御して、無線ＬＡＮ通信方式の端末局機能を有する端末局装置へ接続設定情報を送信させる。図７のフローチャートを用いて、この動作の詳細を説明する。
【００５１】
図７のＳ７０１において、ＮＦＣ通信部２０１は、ＮＦＣ通信を検出したか否かの判定を行う。ＮＦＣ通信を検出しない場合（Ｓ７０１でＮＯ）、Ｓ７０２に進み、ＮＦＣ通信を検出すると（Ｓ７０１でＹＥＳ）Ｓ７０４に進む。
【００５２】
Ｓ７０２において、制御部２０３は、仲介ハンドオーバ処理を中止するか否かの判定を行う。ここで、制御部２０３は、処理が次ステップに進まないまま所定時間（例えば１０秒）が経過した場合、仲介ハンドオーバ処理を中止すると判定するが、これに限るものではない。例えば、ＮＦＣ通信の通信切断検知や、ユーザ操作によるキャンセル指示の有無によって、処理中止を判定するようにしてもよい。制御部２０３が仲介ハンドオーバ処理を中止すると判定した場合（Ｓ７０２でＹＥＳ）はＳ７０３に進み、継続すると判定した場合（Ｓ７０２でＮＯ）はＳ７０１に戻る。
【００５３】
Ｓ７０３において、制御部２０３は、仲介ハンドオーバ処理を終了する。なお、この際、表示部２０５に仲介ハンドオーバ処理を中止した旨を示す情報と、その中止理由を表示するようにしてもよい。例えば、Ｓ７０１から所定時間Ｓ７０４に進まなかった場合、“ＮＦＣ未検出のため、処理中止”等の情報を表示部２０５に表示して処理を中止する。
【００５４】
Ｓ７０４において、ＮＦＣ通信部２０１は、仲介ハンドオーバ要求を送信する。ここで送信される仲介ハンドオーバ要求は、例えばＮＦＣ規格で規定されるＨａｎｄｏｖｅｒ  Ｒｅｑｕｅｓｔメッセージ内のネットワーク情報に仲介ハンドオーバを示す情報である“Ｈｍ”レコードが格納されたメッセージである。
【００５５】
Ｓ７０５において、ＮＦＣ通信部２０１は仲介ハンドオーバ要求に対する応答を受信したか否かの判定を行う。ここで受信される仲介ハンドオーバ応答は、例えばＮＦＣ規格で規定されるＨａｎｄｏｖｅｒ  Ｍｅｄｉａｔｉｏｎ  Ｒｅｓｐｏｎｓｅメッセージである。ＮＦＣ通信部２０１が所定時間以内に仲介ハンドオーバ要求を受信した場合（Ｓ７０５でＹＥＳ）はＳ７０６に進み、所定時間以内に仲介ハンドオーバ応答を受信しない場合（Ｓ７０５でＮＯ）はＳ７０３に進む。ここで、Ｓ７０３に進み、処理を停止する場合には、例えば“タッチ相手が仲介ハンドオーバ非対応のため、処理中止”等の情報を表示部２０５に表示する。
【００５６】
Ｓ７０６において、ＮＦＣ通信部２０１は、受信した仲介ハンドオーバ応答にネットワーク情報が含まれているか否かの判定を行う。ここで、ネットワーク情報とは、ネットワーク種別やサポートしている機能、ネットワークに接続するための設定情報等である。本実施形態では、ＡＰ１０４からはネットワーク情報として、ネットワーク種別“無線ＬＡＮ”、サポート機能“基地局機能”が送信され、接続設定情報としてＳＳＩＤ（Ｓｅｒｖｉｃｅ  Ｓｅｔ  ＩＤ）、暗号方式、認証方式及び暗号パスワードが送信される。仲介ハンドオーバ応答にネットワーク情報が含まれており、かつネットワーク種別が“無線ＬＡＮ”、サポート機能が“基地局機能”、さらに接続設定情報としてＳＳＩＤ等が含まれる場合（Ｓ７０６でＹＥＳ）はＳ７０７に進む。また、仲介ハンドオーバ応答にネットワーク情報が含まれていない場合や、ネットワーク種別が“無線ＬＡＮ”ではない場合、ネットワーク情報内のサポート機能が“端末局機能”のみである場合（Ｓ７０６でＮＯ）にはＳ７０３に進む。ここで、Ｓ７０３で仲介ハンドオーバ処理を中止する場合には、“ネットワーク種別が一致しないため、処理中止”や“タッチ相手が基地局機能を持たないため、処理中止”等の情報を表示部２０５に表示する。
【００５７】
Ｓ７０７において、制御部２０３は、受信した仲介ハンドオーバ応答に含まれるネットワーク情報に基づき、ＡＰ１０４の接続設定情報を記憶部２０４に格納する。
【００５８】
Ｓ７０８において、制御部２０３は、仲介ハンドオーバにより無線接続させる機器の内、無線ＬＡＮ端末局機能を有する機器へのＮＦＣタッチ操作をユーザに促す情報を表示部２０５に表示する。なお、この情報は音声等によりユーザに通知するようにしてもよい。スマートホン１０１のユーザは、この表示情報に基づき、スマートホン１０１を無線ＬＡＮ基地局機能を有する機器である監視カメラ１０２またはディスプレイ１０３にタッチする。本実施形態では、スマートホン１０１が監視カメラ１０２にタッチされた場合について以降の説明を行う。
【００５９】
Ｓ７０９において、ＮＦＣ通信部２０１は、ＮＦＣ通信を検出したか否かの判定を行う。ＮＦＣ通信を検出しない場合（Ｓ７０９でＮＯ）、Ｓ７１０に進み、ＮＦＣ通信を検出すると（Ｓ７０９でＹＥＳ）Ｓ７１２に進む。
【００６０】
Ｓ７１０において、制御部２０３は、仲介ハンドオーバ処理を中止するか否かの判定を行う。ここで制御部２０３は、処理が次ステップに進まないまま所定時間（例えば１０秒）が経過した場合、仲介ハンドオーバ処理を中止すると判定するが、これに限るものではない。例えば、ＮＦＣ通信の通信切断検知や、ユーザ操作によるキャンセル指示の有無によって、処理中止を判定するようにしてもよい。制御部２０３が仲介ハンドオーバ処理を中止すると判定した場合（Ｓ７１０でＹＥＳ）はＳ７１１に進み、継続すると判定した場合（Ｓ７１０でＮＯ）はＳ７０９に戻る。
【００６１】
Ｓ７１１において、制御部２０３は、仲介ハンドオーバ処理を終了する。なお、この際、表示部２０５に仲介ハンドオーバ処理を中止した旨を示す情報と、その中止理由を表示するようにしてもよい。例えば、Ｓ７０９から所定時間Ｓ７１２に進まなかった場合、“ＮＦＣ未検出のため、処理中止”等の情報を表示部２０５に表示する。
【００６２】
Ｓ７１２において、ＮＦＣ通信部２０１は、仲介ハンドオーバ要求を送信する。ここで送信される仲介ハンドオーバ要求は、Ｓ７０４で送信される仲介ハンドオーバ要求と同様に、Ｈａｎｄｏｖｅｒ  Ｒｅｑｕｅｓｔメッセージ内のネットワーク情報に仲介ハンドオーバを示す情報である“Ｈｍ”レコードを格納したメッセージである。
【００６３】
Ｓ７１３において、ＮＦＣ通信部２０１は仲介ハンドオーバ要求に対する応答を受信したか否かの判定を行う。ＮＦＣ通信部２０１が仲介ハンドオーバ要求を受信した場合（Ｓ７１３でＹＥＳ）はＳ７１４に進み、受信していない場合（Ｓ７１３でＮＯ）はＳ７１１に進む。
【００６４】
Ｓ７１４において、ＮＦＣ通信部２０１は、受信した仲介ハンドオーバ応答にネットワーク情報が含まれているか否かの判定を行う。本実施形態では、仲介ハンドオーバ応答にネットワーク情報が含まれており、かつネットワーク種別が“無線ＬＡＮ”、サポート機能が“端末局機能”である場合（Ｓ７１４でＹＥＳ）、Ｓ７１５に進む。仲介ハンドオーバ応答にネットワーク情報が含まれていない場合や、サポート機能が“基地局機能”のみである場合（Ｓ７１４でＮＯ）にはＳ７１１に進む。
【００６５】
Ｓ７１５において、ＮＦＣ通信部２０１は、ハンドオーバ開始要求を送信する。ここで送信されるハンドオーバ開始要求とは、例えばＮＦＣ規格にて規定されているＩｎｉｔｉａｔｉｏｎ  Ｒｅｑｕｅｓｔメッセージであり、接続先のネットワーク情報を指定し、ハンドオーバの開始を要求するメッセージである。本実施形態では、Ｉｎｉｔｉａｔｉｏｎ  Ｒｅｑｕｅｓｔメッセージには、接続先となるＡＰ１０４の接続設定情報が含まれている。このメッセージを受信した機器（監視カメラ１０２）は、ハンドオーバ開始応答となるＩｎｉｔｉａｔｉｏｎ  Ｒｅｓｐｏｎｓｅメッセージをスマートホン１０１に送信するとともに、この接続設定情報を用いてＡＰ１０４への無線ＬＡＮ接続を行う。
【００６６】
Ｓ７１６では、制御部２０３は、ハンドオーバ開始応答を受信すると（Ｓ７１６でＹＥＳ）仲介ハンドオーバ処理を終了する。また、ハンドオーバ開始応答を所定時間受信しない場合（Ｓ７１６でＮＯ）には、Ｓ７１１において“タッチ相手からの応答無しのため、処理中止”等の情報を表示部２０５に表示し、仲介ハンドオーバ処理を中止する。
【００６７】
図６に戻り、上記で説明した仲介ハンドオーバ処理Ｓ６０４が完了すると、Ｓ６０５に進む。
【００６８】
Ｓ６０５において、仲介ハンドオーバ処理を継続するか否か、すなわち、他の端末局装置へ接続設定情報を送信する処理を継続か否かを判定する。本実施形態において、この判定は、表示部２０５に処理を継続するか否かをユーザに確認する情報を表示し、ユーザによる操作部２０６の操作に基づいて行うが、ユーザからの指示によるものに限定されない。例えば、ＡＰ１０４と監視カメラ１０２の仲介ハンドオーバ処理後、所定の時間が経過したら仲介ハンドオーバ処理を終了するようにしてもよい。また、スマートホン１０１に備えられたジャイロセンサ等の位置姿勢センサ（不図示）を使用し、スマートホン１０１のユーザが停止したことを検知し、その停止から所定時間が経過したら処理を終了するようにしてもよい。Ｓ６０５にて、仲介ハンドオーバ処理を継続すると判定した場合（Ｓ６０５でＹＥＳ）、スマートホン１０１は後述するように、以降にタッチされた機器に対して接続設定情報を配布するよう動作する。また、Ｓ６０５にて、処理を終了すると判定した場合（Ｓ６０５でＮＯ）、記憶していたＡＰ１０４の接続設定情報を消去して処理を終了する。
【００６９】
即ち、Ｓ６０５にて処理を終了すると判定した後に、ＮＦＣ通信部２０１による通信が開始された場合、スマートホン１０１は、ＡＰ１０４の接続設定情報を送信することなく、Ｓ７０４で説明した仲介ハンドオーバ要求を送信する。また、Ｓ６０５にて処理を終了すると判定した後に、ＮＦＣ通信部２０１による通信が開始された場合、スマートホン１０１は、その他の通信を行うようにしてよい。
【００７０】
Ｓ６０６において、制御部２０３は、仲介ハンドオーバにより無線接続させる２台目の無線ＬＡＮ端末局機能を有する機器へのＮＦＣタッチ操作を促す情報を表示部２０５に表示する。なお、この情報は音声等によりユーザに通知するようにしてもよい。本実施形態では、無線ＬＡＮ端末局機能を有する２台目の機器としてディスプレイ１０３をＡＰ１０４に無線接続し、ユーザはスマートホン１０１をディスプレイ１０３にタッチする例を説明する。
【００７１】
Ｓ６０７において、スマートホン１０１は、ＮＦＣタッチされた機器（ディスプレイ１０３）に対して、ＡＰ１０４の接続設定情報を配布するよう動作する。図８は、Ｓ６０７における接続設定情報配布動作の詳細を示すフローチャートである。
【００７２】
Ｓ８０１において、制御部２０３は、ＮＦＣ通信部２０１のリーダライタ機能を停止する。なお、本実施形態では、Ｓ６０５にて、仲介ハンドオーバ処理を継続すると判定された後に、リーダライタ機能を停止するよう動作するが、Ｓ６０４の仲介ハンドオーバ処理が終了した後に、リーダライタ機能を停止するようにしてもよい。
【００７３】
Ｓ８０２において、制御部２０３は、図７のＳ７０７で記憶部２０４に記憶したＡＰ１０４の接続設定情報を、ＮＦＣ通信部２０１の内部に備えられた不揮発メモリに格納する。なお、本実施形態では、ＮＦＣタグとして、通信相手となるリーダライタがデータを読み書き領域としてＮＦＣ通信部２０１の内部メモリを用いる例を説明するが、これに限るものではない。記憶部２０４の所定領域を、ＮＦＣタグとして動作する際にリーダライタがデータを読み書きするようにしてもよい。
【００７４】
Ｓ８０３において、制御部２０３は、ＮＦＣ通信部２０１をタグとして起動する。
【００７５】
Ｓ８０４において、ＮＦＣ通信部２０１は、ＮＦＣ通信を検出したか否かの判定を行う。ＮＦＣ通信を検出しない場合（Ｓ８０４でＮＯ）、Ｓ８０５に進み、ＮＦＣ通信を検出すると（Ｓ８０４でＹＥＳ）Ｓ８０７に進む。
【００７６】
Ｓ８０５において、制御部２０３は、接続設定情報配布処理を中止するか否かの判定を行う。ここで、制御部２０３は、処理が次ステップに進まないまま所定時間が経過した場合、接続設定情報配布処理を中止すると判定するが、これに限るものではない。例えば、ＮＦＣ通信の通信切断検知や、ユーザ操作によるキャンセル指示の有無によって、処理中止を判定するようにしてもよい。制御部２０３が接続設定情報配布処理を中止すると判定した場合（Ｓ８０５でＹＥＳ）はＳ８０６に進み、継続すると判定した場合（Ｓ８０５でＮＯ）はＳ８０４に戻る。
【００７７】
Ｓ８０６において、制御部２０３は、接続設定情報配布処理を中止する。例えば、この際には、“ＮＦＣ未検出のため、処理中止”等の情報を表示部２０５に表示して、処理を中止する。
【００７８】
Ｓ８０７において、ＮＦＣ通信部２０１は、ＮＦＣタッチされた機器であるディスプレイ１０３に対して、ハンドオーバ選択メッセージを送信する。このメッセージは、例えばＮＦＣ規格にて規定されるＨａｎｄｏｖｅｒ  Ｓｅｌｅｃｔメッセージであり、接続先となるＡＰ１０４の接続設定情報を送信する。ディスプレイ１０３は、ハンドオーバ選択メッセージを受信すると、このメッセージに含まれる接続設定情報に基づき、ＡＰ１０４に無線ＬＡＮ接続するよう動作する。すなわち、本実施形態における接続設定情報配布処理におけるスマートホン１０１の動作は、ＮＦＣ規格で規定される静的ハンドオーバ（Ｓｔａｔｉｃ  Ｈａｎｄｏｖｅｒ）と同様のメッセージシーケンスとなる。このように、接続設定情報配布処理において、スマートホン１０１は、Ｐ２Ｐモードで通信するＮＦＣリーダライタからカードエミュレーションモードで通信するＮＦＣタグに動作を切り替えることで、低消費電力で接続設定情報を配布することができる。
【００７９】
なお、本実施形態におけるＳ６０６の接続設定情報配布処理において、スマートホン１０１は、タグとして動作するカードエミュレーションモードでなく双方向通信モードの通信を行うＰ２Ｐモードで動作してもよい。例えば、Ｓ６０６の接続設定情報配布処理は、ＡＰ１０４の接続設定情報を含むＩｎｉｔｉａｔｉｏｎ  Ｒｅｑｕｅｓｔメッセージを送信することで行われてもよい。また、Ｓ６０６の接続設定情報配布処理は仲介ハンドオーバの一部処理であるＳ７０９〜Ｓ７１６として行われてもよい。また、接続設定情報配布処理は、ＮＦＣ規格で規定される交渉ハンドオーバ（Ｎｅｇｏｔｉａｔｅｄ  Ｈａｎｄｏｖｅｒ）を用いるようにしてもよい。この場合、ディスプレイ１０３からスマートホン１０１に、Ｈａｎｄｏｖｅｒ  Ｒｅｑｕｅｓｔメッセージを送信する。そして、スマートホン１０１からディスプレイ１０３にＨａｎｄｏｖｅｒ  Ｓｅｌｅｃｔメッセージを送信し、このメッセージでＡＰ１０４の接続設定情報を通知することで、ディスプレイ１０３をＡＰ１０４に無線ＬＡＮ接続させることも可能である。
【００８０】
図６に戻り、Ｓ６０７の接続設定情報配布処理が終了すると、Ｓ６０５に戻り、仲介ハンドオーバ処理を停止すると判断されるまで処理を継続する。すなわち、システム内に他の無線ＬＡＮ端末機能を持つ装置が存在する場合、その装置に対してもＡＰ１０４に無線ＬＡＮ接続するための接続設定情報を受け渡すことが可能である。
【００８１】
（端末局装置の動作）
図９は、端末局装置としての監視カメラ１０２の動作フローを示す図である。なお、ディスプレイ１０３も監視カメラ１０２と同様の動作であるため、その説明は省略する。また、図９の動作フローでは、ハンドオーバに関わるアプリケーションが常時起動している場合の例について説明するが、これに限るものではない。例えば、ユーザによるアプリケーション起動停止操作や、ＮＦＣ通信部３０１の通信開始または終了を契機にアプリケーションの起動停止を行うようにしてもよい。図９に示すフローチャートは、監視カメラ１０２の制御部３０５が記憶部３０６から読み出した制御プログラムを実行することで実現される。
【００８２】
Ｓ９０１において、ＮＦＣ通信部３０１は、ＮＦＣ通信を検出したか否かの判定を行う。ＮＦＣ通信を検出しない場合（Ｓ９０１でＮＯ）、Ｓ９０１に戻り、ＮＦＣ通信を検出すると（Ｓ９０１でＹＥＳ）Ｓ９０２に進む。
【００８３】
Ｓ９０２において、スマートホン１０１から仲介ハンドオーバ要求を受信したか否かの判定を行う。仲介ハンドオーバ要求を受信した場合（Ｓ９０２でＹＥＳ）はＳ９０３に進み、他のメッセージを受信した場合（Ｓ９０２でＮＯ）はＳ９０４に進む。
【００８４】
Ｓ９０３において、監視カメラ１０２は、ＮＦＣ規格で規定される仲介ハンドオーバ処理を行う。より具体的には、スマートホン１０１に対して仲介ハンドオーバ応答を送信する。そして、その後にスマートホン１０１から送信されるハンドオーバ開始要求を受信すると、スマートホン１０１に対してハンドオーバ開始応答を送信する。そして、ハンドオーバ開始要求メッセージ内に含まれる接続設定情報に基づいてＡＰ１０４に無線ＬＡＮ接続要求を送信する。監視カメラ１０２は、ＡＰ１０４と無線ＬＡＮ接続が確立すると、処理を終了する。
【００８５】
Ｓ９０４において、スマートホン１０１から送信されたメッセージがハンドオーバ選択メッセージであるか否かの判定を行う。ハンドオーバ選択メッセージである場合（Ｓ９０４でＹＥＳ）にはＳ９０５に進み、他のメッセージである場合（Ｓ９０４でＮＯ）には処理を終了する。
【００８６】
Ｓ９０５において、監視カメラ１０２は、スマートホン１０１から送信されるハンドオーバ選択メッセージに含まれる接続設定情報を用いて、ＡＰ１０４との間で無線ＬＡＮ接続を確立する。
【００８７】
（アクセスポイントの動作）
図１０は、ＡＰ１０４の動作フローを示す図である。図１０の動作フローでは、ハンドオーバに関わるアプリケーションが常時起動しているものとして説明を行うが、これに限るものではない。例えば、ユーザによるアプリケーション起動停止操作や、ＮＦＣ通信部５０１の通信開始または終了を契機にアプリケーションの起動停止を行うようにしてもよい。図１０に示すフローチャートは、ＡＰ１０４の制御部５０５が記憶部５０６から読み出した制御プログラムを実行することで実現される。
【００８８】
Ｓ１００１において、ＮＦＣ通信部５０１は、ＮＦＣ通信を検出したか否かの判定を行う。ＮＦＣ通信を検出しない場合（Ｓ１００１でＮＯ）、Ｓ１００１に戻り、ＮＦＣ通信を検出すると（Ｓ１００１でＹＥＳ）Ｓ１００２に進む。
【００８９】
Ｓ１００２において、スマートホン１０１から仲介ハンドオーバ要求を受信したか否かの判定を行う。仲介ハンドオーバ要求を受信した場合（Ｓ１００２でＹＥＳ）はＳ１００３に進み、他のメッセージを受信した場合（Ｓ１００２でＮＯ）は処理を終了する。
【００９０】
Ｓ１００３において、ＡＰ１０４は、ＮＦＣ規格で規定される仲介ハンドオーバ処理を行う。より具体的には、スマートホン１０１に対して、自身の接続設定情報を含んだ仲介ハンドオーバ応答を送信する。そして、以後、他の機器（監視カメラ１０２、またはディスプレイ１０３）から無線ＬＡＮの接続要求を受けると、これを許可することで無線ＬＡＮ接続を確立する。
【００９１】
（動作シーケンス）
図１１は、本実施形態における通信システムの動作シーケンスの一例を示す図である。
【００９２】
Ｓ１１０１において、ユーザが仲介ハンドオーバを実行するアプリケーションを起動すると、スマートホン１０１は処理を開始し、ユーザに対してスマートホン１０１と無線ＬＡＮ基地局（ＡＰ１０４）のＮＦＣタッチを促す情報を提示する。
【００９３】
Ｓ１１０２において、ユーザがスマートホン１０１をＡＰ１０４にＮＦＣタッチすると、仲介ハンドオーバが開始される。スマートホン１０１は、Ｓ１１０３における仲介ハンドオーバ要求とＳ１１０４における仲介ハンドオーバ応答の、仲介ハンドオーバメッセージ交換により、ＡＰ１０４の接続設定情報を取得する。また、スマートホン１０１は、ユーザに対してスマートホン１０１と第一の無線ＬＡＮ端末局（監視カメラ１０２）とのＮＦＣタッチを促す情報を提示する。
【００９４】
Ｓ１１０５において、ユーザがスマートホン１０１を監視カメラ１０２にＮＦＣタッチすると、Ｓ１１０６〜Ｓ１１０９のメッセージ交換がなされる。すなわち、Ｓ１１０６でスマートホン１０１から監視カメラ１０２へ仲介ハンドオーバ要求が送信され、これに対してＳ１１０７で仲介ハンドオーバ応答が返される。次に、Ｓ１１０８でスマートホン１０１から監視カメラ１０２へハンドオーバ開始要求が送信され、これに対してＳ１１０７でハンドオーバ開始応答が返される。そして、Ｓ１１１０で監視カメラ１０２はＡＰ１０４との間で無線ＬＡＮ接続を確立する。
【００９５】
Ｓ１１１１において、ユーザが仲介ハンドオーバ処理の継続を指示した場合、スマートホン１０１はユーザに対してスマートホン１０１と第二の無線ＬＡＮ端末局（ディスプレイ１０３）とのＮＦＣタッチを促す情報を提示する。
【００９６】
Ｓ１１１２において、ユーザがスマートホン１０１とディスプレイ１０３をＮＦＣタッチすると、Ｓ１１１３においてスマートホン１０１からディスプレイ１０３に対してハンドオーバ選択メッセージが送信される。そして、Ｓ１１１３において、ディスプレイ１０３はＡＰ１０４との間で無線ＬＡＮ接続を確立する。
【００９７】
Ｓ１１１５において、ユーザがアプリケーションの終了を選択すると、処理が終了する。
【００９８】
以上、本実施形態によれば、仲介ハンドオーバ開始時にスマートホン１０１は、ユーザに対して無線ＬＡＮ基地局装置とのＮＦＣタッチを促す情報を提示する。これにより、同一の無線ＬＡＮ端末局装置に対して、複数回ＮＦＣタッチをすることなく、仲介ハンドオーバを実行することができる。また、複数の無線ＬＡＮ端末局装置を同一の無線ＬＡＮ基地局装置との間で無線ＬＡＮ接続を確立させる場合、スマートホン１０１は接続設定情報を配布するよう動作する。このため、無線ＬＡＮ基地局装置に対して複数回ＮＦＣタッチをすることなく、ユーザ利便性の高いハンドオーバ技術を実現することができる。
【００９９】
また、スマートホン１０１は、ＡＰ１０４と監視カメラ１０２とを仲介ハンドオーバにより無線接続を確立させた後に、再度ＡＰ１０４及び監視カメラ１０２とＮＦＣを行わなくともディスプレイ１０３もＡＰ１０４のネットワークに参加させることができる。
【０１００】
また、スマートホン１０１は、仲介ハンドオーバにより装置間の無線接続を確立させた後に、所定期間が過ぎる前もしくは接続設定情報の送信指示があった状態でディスプレイ１０３とＮＦＣ通信を開始した場合、ディスプレイ１０３に接続設定情報を送信する。一方、スマートホン１０１は、仲介ハンドオーバにより装置間の無線接続を確立させた後、所定期間が過ぎた後もしくは接続設定情報の送信指示がなかった状態でディスプレイ１０３とＮＦＣ通信を開始した場合、ディスプレイ１０３に接続設定情報を送信しない。また、スマートホン１０１は、所定期間が過ぎた後もしくは接続設定情報の送信指示がなかった状態でディスプレイ１０３と接続した場合は、仲介要求メッセージを送信し、ディスプレイ１０３を他の装置と接続させることができる。このため、ユーザの利便性が向上する。
【０１０１】
なお、本実施形態では、ＮＦＣ通信を利用し、機器間をＩＥＥＥ８０２．１１ｂ／ｇ／ｎの無線ＬＡＮで接続するものとしたが、本発明はこれに限定されない。例えば、ＩＥＥＥ８０２．１１ａｄ、あるいはＢｌｕｅｔｏｏｔｈ  Ｌｏｗ  Ｅｎｅｒｇｙ等の無線接続を確立する場合においても同様に適用することが可能である。また、ＮＦＣ以外の近接無線通信方式である赤外線通信やＴｒａｎｓｆｅｒ  Ｊｅｔ等を用いるようにしてもよい。
【０１０２】
＜＜実施形態２＞＞
実施形態１では、スマートホン１０１は、仲介ハンドオーバ処理開始後、最初のＮＦＣタッチ相手が無線ＬＡＮ基地局機能を持たない機器であった場合、処理を終了する動作例を説明した（Ｓ７０６でＮＯ、Ｓ７０３）。本発明の第二の実施形態（実施形態２）では、スマートホン１０１は無線ＬＡＮ基地局機能を備え、ＮＦＣタッチ相手が無線ＬＡＮ端末局機能を持つ機器であった場合、自身が無線ＬＡＮ基地局として動作し、タッチ相手を自身が形成したネットワークに収容する。そして、以降のＮＦＣタッチにてタッチされた無線ＬＡＮ基地局機能を持つ機器のネットワークに、それまで自身のネットワークに収容していた機器群を移管するよう動作する。
【０１０３】
即ち、本実施形態では、仲介装置が基地装置と近接無線通信を開始する前に、端末局装置と近接無線通信を開始した場合であっても、再度仲介装置と基地装置とを近づけることなく、端末局装置と基地局装置とを接続させるための動作について説明する。
【０１０４】
図１２は、本実施形態のスマートホン１０１の構成の一例を示す図である。実施形態１のスマートホン１０１とは、無線ＬＡＮ通信部１２０１及び無線ＬＡＮ通信を行うための第二通信手段としてのアンテナ１２０２を備えている点が異なる。無線ＬＡＮ通信部１２０１は、ＩＥＥＥ８０２．１１規格における無線ＬＡＮの端末局機能と基地局機能の両方を処理する。無線ＬＡＮ通信部１２０１は、例えばＩＥＥＥ８０２．１１ｂ／ｇ／ｎに準拠し、無線ＬＡＮ基地局機能または無線ＬＡＮ端末局機能を有する機器と無線ＬＡＮ通信を行う。このように、本実施形態のスマートホン１０１は、基地局機能と端末局機能の両方を備えており、そのいずれでも動作可能である。他のブロックについては、第一の実施形態と同様であるため、その説明は割愛する。
【０１０５】
図１３は、本実施形態のスマートホン１０１の仲介ハンドオーバの動作フローを示す図である。図１３のフローチャートでは、図６のフローチャートと同様の動作ステップは、同一の符号を付与し、その説明は割愛する。図１３に示すフローチャートは、スマートホン１０１の制御部２０３が記憶部２０４から読み出した制御プログラムを実行することで実現される。
【０１０６】
スマートホン１０１は、ＮＦＣ通信方式による外部装置との通信により、当該外部装置が無線ＬＡＮ通信方式の基地局機能を有するか否かを判定する。基地局機能を有しないと判定した場合、当該スマートホン１０１自身が基地局として構築する無線ＬＡＮ通信方式によるネットワークに接続するための接続設定情報を、ＮＦＣ通信方式によりその外部装置へ接続設定情報を送信する。これにより、一時的にスマートホン１０１が基地局として構築するネットワークに収容する。そして、スマートホン１０１の接続設定情報を送信した各外部装置を、無線ＬＡＮ通信方式の基地局機能を有する装置へ移管する。このため、ユーザは、基地局装置にＮＦＣタッチする前であっても、各端末局装置をタッチして、これらの装置を、基地局装置が構築する無線ＬＡＮネットワークに接続させることができる。
【０１０７】
Ｓ１３０１において、制御部２０３は、仲介ハンドオーバにより無線接続させる機器へのＮＦＣタッチを促す情報を表示部２０５に表示する。
【０１０８】
Ｓ１３０２において、制御部２０３は、ネットワーク情報取得処理を開始する。ここで、本実施形態ではＮＦＣタッチ相手のネットワーク情報を取得するために、タッチ相手に対して仲介ハンドオーバ要求を送信する。そして、仲介ハンドオーバ応答を受信することでネットワーク情報を取得する。
【０１０９】
Ｓ１３０３において、取得したネットワーク情報を参照して、タッチ相手がサポートしているネットワーク種別に無線ＬＡＮが含まれるか否かを判定する。無線ＬＡＮが含まれる場合（Ｓ１３０３でＹＥＳ）はＳ１３０４へ進み、含まれない場合（Ｓ１３０３でＮＯ）、処理を終了する。
【０１１０】
Ｓ１３０４において、タッチ相手が無線ＬＡＮ端末局機能を持つ機器であるか否かを判定する。無線ＬＡＮ端末局機能を持つ機器であった場合（Ｓ１３０４でＹＥＳ）、Ｓ１３０５に進む。一方、タッチ相手が無線ＬＡＮ端末局機能を持たない機器であった場合（Ｓ１３０４でＮＯ）、すなわち無線ＬＡＮ基地局機能を持つ機器であった場合、Ｓ１３０６に進む。
【０１１１】
Ｓ１３０５において、タッチ相手となる無線ＬＡＮ端末局に対して、ハンドオーバ選択メッセージを送信する。ここで、ハンドオーバ選択メッセージとしては、スマートホン１０１が基地局として動作する際の接続設定情報を含ませる。これにより、このハンドオーバ選択メッセージを受信したタッチ相手は、スマートホン１０１に対して無線ＬＡＮの接続を要求するよう動作する。スマートホン１０１は、接続要求を受信したタッチ相手の自身を基地局とするネットワークに収容する。なお、この接続設定情報は、スマートホン１０１に予め設定されているが、予め設定されていないときは、新たに生成する。接続設定情報を生成する場合、ランダムに接続設定情報を生成するようにしてもよいし、周囲の基地局機器の送信するビーコンをスキャンし、周囲に存在する基地局機器の接続設定情報とは異なる接続設定情報を生成するようにしてもよい。Ｓ１３０５の処理を終えると、Ｓ１３０７へ進む。
【０１１２】
Ｓ１３０６において、タッチ相手が無線ＬＡＮ基地局機能を持つ機器であった場合、その機器の接続設定情報を記憶部２０４に記憶する。そして、Ｓ１３０７へ進む。
【０１１３】
Ｓ１３０７において、ユーザが仲介ハンドオーバ処理の継続を指示したか否かを判定する。仲介ハンドオーバ処理の継続を指示した場合（Ｓ１３０７でＹＥＳ）、Ｓ１３０１に戻る。一方、ユーザが仲介ハンドオーバ処理の終了を指示した場合（Ｓ１３０７でＮＯ）にはＳ１３０８に進む。
【０１１４】
Ｓ１３０８において、アプリケーション起動後、タッチされた相手に無線ＬＡＮ基地局機能を持つ機器が存在するか否かを判定する。無線ＬＡＮ基地局機能を持つ機器が存在する場合（Ｓ１３０８でＹＥＳ）、Ｓ１３１０に進む。無線ＬＡＮ基地局機能を持つ機器が存在しない場合（Ｓ１３０８でＮＯ）、Ｓ１３０９に進む。
【０１１５】
Ｓ１３０９において、制御部２０３は、タッチされた相手に無線ＬＡＮ基地局が存在しない旨（エラー）を表示部２０５に表示し、処理を終了する。
【０１１６】
Ｓ１３１０において、制御部２０３は、アプリケーション起動後に記憶部２０４に追加された接続設定情報を表示部２０５に表示し、ユーザに対してシステム内の基地局をどの機器とするか選択するよう促す。なお、システム内に基地局機能を有する機器が１台のみであった場合、本ステップは省略し、当該機器をシステム内の基地局として設定するようにしてもよい。
【０１１７】
Ｓ１３１１において、自身のネットワークに収容していた端末局群を、Ｓ１３１０で選択された基地局機器に移管する。端末局群の移管は任意の手法により行うことができる。例えば、自身のネットワークに収容していた端末局群を移管する第一の手法としては、選択された基地局機器に自身の接続設定情報を設定する方式がある。この場合、スマートホン１０１は、無線ＬＡＮ通信部１２０１を端末局として動作させ、Ｓ１３０６で記憶した接続設定情報を有する無線ＬＡＮ基地局と無線ＬＡＮ接続を行う。そして、この無線ＬＡＮ基地局に対して、無線ＬＡＮ通信を用いて、接続設定情報の変更を指示する。この際、無線ＬＡＮ基地局がＷＰＳ規格に対応している場合、ＥＡＰ（Ｅｘｔｅｎｓｉｂｌｅ  Ａｕｔｈｅｎｔｉｃａｔｉｏｎ  Ｐｒｏｔｏｃｏｌ）メッセージを用いることにより、ＳＳＩＤ等の接続設定情報を変更させることが可能である。また、第二の手法としては、自身のネットワークに収容していた端末局群に対して、選択された基地局機器の接続設定情報を送信し、接続先の変更を指示する方式がある。この場合、収容済み端末局群が、ＷＰＳ規格に対応している場合、同様にＥＡＰメッセージにより接続先を変更させることが可能である。
【０１１８】
以上、本実施形態によれば、システム内の無線ＬＡＮ端末局を一時的にスマートホン１０１を基地局とするネットワークに収容する。そして、ユーザにより処理終了が指示されると、基地局となる機器を決定し、当該基地局機器に収容済みの端末局機器を移管する。これにより、ＮＦＣタッチする順番に制約なく、無線ＬＡＮ接続させたい機器群を１度ずつタッチするだけで無線ＬＡＮ接続させることが可能となり、ユーザ利便性の高い無線接続技術を実現することができる。
【０１１９】
なお、本実施形態では、スマートホン１０１を無線ＬＡＮ基地局とするネットワークにシステム内の全無線ＬＡＮ端末局機器を一時的に収容するよう動作したが、本発明はこれに限定されない。例えば、基地局機能を有する機器とタッチされた場合、当該機器をシステム内の基地局として設定するか否かをユーザに指定するよう促す情報を表示部２０５に表示する。そして、ユーザが当該機器を基地局として選択した場合には、この時点で収容済みの端末局機器を移管するよう動作し、以後スマートホン１０１はこの基地局の接続設定情報を配布するよう動作してもよい。この場合、ユーザが基地局を選択した後、スマートホン１０１は第一の実施形態と同様にＮＦＣタグとして動作すればよいため、スマートホン１０１の消費電力を低減することができる。
【０１２０】
本実施形態では、システム内に基地局機能を有する機器が複数存在する場合、ユーザが基地局となる機器を選択する例を説明したが、スマートホン１０１が自動的に選択するようにしてもよい。この際、スマートホン１０１が基地局となる機器の選択は、用途に応じた手法により行うことができる。例えば、スマートホン１０１はランダムに基地局となる機器を選択してもよい。あるいは、基地局機能を有する機器とＮＦＣタッチされた際に、当該機器はスマートホン１０１に自身の機器情報を通知するようにし、この機器情報に基づいてスマートホン１０１が基地局となる機器を選択するようにしてもよい。ここで、機器情報とは、例えば、電源に接続されて常時起動している機器か否か、またはバッテリ駆動か否か等を示す情報であり、基地局の選択に適した情報を通知することが望ましい。このように、移管先となる基地局機能を有する外部装置が複数存在する場合、外部装置への電源供給の状況に基づいて、移管先となる外部装置を決定することで、電力が安定供給されている装置を自動的に基地局として動作させることができる。
【０１２１】
以上のように、上記の各構成によれば、同一の無線ＬＡＮ端末局装置に対して、複数回ＮＦＣタッチをすることなく、仲介ハンドオーバを実行することができる。また、複数の無線ＬＡＮ端末局装置を単一の無線ＬＡＮ基地局装置に無線ＬＡＮ接続させる場合に、無線ＬＡＮ基地局装置に対して複数回ＮＦＣタッチをすることなく、仲介ハンドオーバを実行することができる。したがって、ユーザ利便性の高いハンドオーバ技術を提供することができる。
【０１２２】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２３】
１０１：スマートホン、１０２：監視カメラ、１０３：ディスプレイ、１０４：アクセスポイント
【図１】
0006559022.tif 000002
【図２】
0006559022.tif 000003
【図３】
0006559022.tif 000004
【図４】
0006559022.tif 000005
【図５】
0006559022.tif 000006
【図６】
0006559022.tif 000007
【図７】
0006559022.tif 000008
【図８】
0006559022.tif 000009
【図９】
0006559022.tif 000010
【図１０】
0006559022.tif 000011
【図１１】
0006559022.tif 000012
【図１２】
0006559022.tif 000013
【図１３】
0006559022.tif 000014